(57)【特許請求の範囲】
【請求項１】
ベース上にメインダンパを介して載置されたメインフレームと、
このメインフレーム内に傾動自在に設けられたサブフレームと、
このサブフレーム内にサブダンパを介して支持される保持フレームと、
この保持フレームに保持され、カートリッジ内に収納されて取込まれてくる媒体、或はカートリッジ内に収納されないで単独で取込まれてくる媒体を回転させる駆動モータと、
前記駆動モータにより回転される媒体に対し光を走査して情報処理する情報処理手段と、
前記サブフレームを傾動させることにより前記駆動モータに前記媒体をクランプさせる駆動手段と、
前記保持フレームをロックしてその動きを規制するロック手段と、
前記駆動モータに前記媒体をクランプさせる際には、前記ロック手段により前記保持フレームをロックさせ、クランプ後には、前記媒体が前記カートリッジ内に収納されるものでない場合には、前記ロックを解除させ、前記媒体が前記カートリッジ内に収納されるものである場合には、前記ロックを解除させないで継続させる操作手段と、
を具備してなることを特徴とする情報処理装置。
【請求項２】
前記駆動手段は前記サブフレームに突設されたボス部を係合させる昇降溝を有するスライダを備え、このスライダのスライド操作により前記サブフレームを昇降させて傾動させることを特徴とする請求項１記載の情報処理装置。
【請求項３】
前記ロック手段は前記保持フレームに係脱自在に係合してロックするロック部材を有することを特徴とする請求項１記載の情報処理装置。
【請求項４】
前記媒体のクランプ後における保持フレームのロック解除或はロックの継続は切替レバーにより切り替えられることを特徴とする請求項１記載の情報処理装置。
【請求項５】
前記操作手段は前記スライダのスライド操作により動作される操作レバーを有することを特徴とする請求項２記載の情報処理装置。
【請求項６】
前記切替レバーはカートリッジが取込まれることに基づいて動作することを特徴とする請求項４記載の情報処理装置。
【請求項７】
前記保持フレームは装置内に媒体が存在しないことに基づきロック手段によりロックされることを特徴とする請求項１記載の情報処理装置。
【発明の詳細な説明】
【０００１】
【発明の属する技術分野】
本発明は例えば、光ディスク等の媒体に情報処理を施す光ディスク記録再生装置として適用される情報処理装置に関する。
【０００２】
【従来の技術】
光ディスク記録再生装置は、フレーム内にピックアップシャシ（以下、ＰＵシャシという）を備え、このＰＵシャシ上に光ディスクを回転駆動するためのディスクモータ、及び光ディスクに光を走査して情報処理する光学ヘッド等を搭載している。
【０００３】
この光ディスク記録再生装置にはカートリッジ内に収納された光ディスクと、カートリッジ内に収納されない裸の光ディスクの両方の取り扱いが可能なもの（以下、カートリッジ対応型という）と、カートリッジ内に収納されない裸の光ディスクのみの取り扱いが可能なもの（以下、カートリッジ非対応型という）とがある。
【０００４】
カートリッジ対応型の装置では、ＰＵシャシの一端側がヒンジバネを介してフレームに回動自在に支持され、他端側にはボス部が突設されている。このＰＵシャシのボス部はカムスライダのカム溝に係合されている。フレーム内にはカートリッジ或は光ディスク出入用のトレイが設けられている。
【０００５】
トレイによりカートリッジ或は光ディスクがフレーム内の所定位置に取込まれると、カムスライダのスライド操作により、ＰＵシャシが上昇されて傾動しそのディスクモータに光ディスクをクランプさせるようになっている。このようにディスクモータにクランプされたのち光ディスクは回転駆動され、この回転される光ディスクに光学ヘッドにより光が走査されることにより情報が記録再生される。
【０００６】
また、カートリッジ非対応型の装置では、ＰＵシャシの外側にダンパを介してサブシャシを配置し、このサブシャシの一端部をヒンジバネを介してフレームに回動自在に支持し、サブシャシの他端部にボス部を突設している。このサブシャシのボス部はカムスライダのカム溝に係合されている。
【０００７】
また、フレーム内には光ディスク出入用のトレイが設けられ、サブシャシはカムスライダのスライド操作により昇降されるようになっている。
【０００８】
トレイにより光ディスクがフレーム内の所定位置に取込まれると、カムスライダのスライド操作により、サブシャシが上昇されて傾動しそのディスクモータに光ディスクをクランプさせる。このようにディスクモータにクランプされたのち光ディスクは回転駆動され、この回転される光ディスクに光学ヘッドにより光が走査されることにより情報が記録再生される。
【０００９】
上記したカートリッジ対応型の装置及びカートリッジ非対応型の装置のいずれの場合であっても、光ディスクの回転駆動時における振動を防振するための防振機構が必要となっている。
【００１０】
カートリッジ対応型の装置では、カートリッジと光ディスクとの間のクリアランスに余裕が無い為、ＰＵシャシ、ディスクモータ、光学ヘッド、トレイ等を収納するフレーム全体を一体としてメインダンパを介して外装シャシに保持することにより防振するようにしている。
【００１１】
また、カートリッジ非対応型の装置では、ＰＵシャシの部分だけを防振するようにしている。
【００１２】
ところで、カートリッジ非対応型の装置においては、近年読み出しスピードアップの為、光ディスクの高速回転化が進み、偏重心ディスク使用を考慮すると、より減衰率が高く、共振周波数の低い防振構成をとる必要がある。
【００１３】
【発明が解決しようとする課題】
しかしながら、光ディスクをディスクモータにクランプする際の芯合わせの必要性からダンパの寸法精度、剛性等、設計上の制約が生じ、防振性能が限定されていた。
【００１４】
また、カートリッジ対応の装置においては、ＰＵシャシ、ディスクモータ、光学ヘッド、トレイ等を収納するフレーム全体を一体としてメインダンパを介して外装シャシに保持することにより防振するため、各部品間のびり音を生じ易い。
【００１５】
このため、比較的低速回転するカートリッジ使用時は問題無いが、本来、高速で回転させたい裸の光ディスクの場合も回転数を抑えなければならず、読み出しのスピードアップを図ることができないという不都合がある。
【００１６】
本発明は上記事情に着目してなされたもので、その目的とするところは、カートリッジ非対応型の装置においては、高い防振性を有しながらも媒体と駆動モータとの芯合わせを確実に行うことができ、また、カートリッジ対応の装置においては、裸媒体使用時の高速回転を可能とする情報処理装置を提供することを目的とする。
【００１７】
【課題を解決するための手段】
本発明は上記課題を解決するため、請求項１記載のものは、ベース上にメインダンパを介して載置されたメインフレームと、このメインフレーム内に傾動自在に設けられたサブフレームと、このサブフレーム内にサブダンパを介して支持される保持フレームと、この保持フレームに保持され、カートリッジ内に収納されて取込まれてくる媒体、或はカートリッジ内に収納されないで単独で取込まれてくる媒体を回転させる駆動モータと、前記駆動モータにより回転される媒体に対し光を走査して情報処理する情報処理手段と、前記サブフレームを傾動させることにより前記駆動モータに前記媒体をクランプさせる駆動手段と、前記保持フレームをロックしてその動きを規制するロック手段と、前記駆動モータに前記媒体をクランプさせる際には、前記ロック手段により前記保持フレームをロックさせ、クランプ後には、前記媒体が前記カートリッジ内に収納されるものでない場合には、前記ロックを解除させ、前記媒体が前記カートリッジ内に収納されるものである場合には、前記ロックを解除させないで継続させる操作手段とを具備してなることを特徴とする。
【００１９】
【発明の実施の形態】
以下、本発明を図面に示す実施の形態を参照して詳細に説明する。
【００２０】
図１は情報処理装置としてのカートリッジ対応型の光ディスク記録再生装置を一部分解して示す斜視図である。
【００２１】
図中１はメインフレームで、このメインフレーム１は複数のメインダンパ３を介してベース２上に載置されている。このメインフレーム１の内部にはサブフレームとしてのサブシャシ４が設けられている。サブシャシ４はその後端部がヒンジバネ５を介してメインフレーム１に回動自在に支持されている。サブシャシ４の前端側は駆動手段を構成するカムスライダ１６によって支持されている。
【００２２】
カムスライダ１６には昇降溝１６ａ，１６ａが形成され、サブシャシ４の前端部には昇降溝１６ａ，１６ａに係合されるクランプボス４ａ，４ａが突設されている。カムスライダ１６は後述するようにスライド操作され、このスライド操作により、サブシャシ４の前端側が昇降されてサブシャシ４が傾動されるようになっている。
【００２３】
サブシャシ４上には複数のサブダンパ２６を介して保持フレームとしてのピックアップシャシ（以下、ＰＵシャシという）６が支持されている。ＰＵシャシ６上には媒体としての光ディスク２７を回転駆動する駆動モータとしてのディスクモータ１０、光ディスク２７に光りを照射する情報処理手段としての光ピックアップ９、この光ピックアップ９を光ディスク２７の径方向に沿って走行させるフィードモータ１１が搭載されている。
【００２４】
また、サブシャシ４の後部側にはロック手段を構成するロックアーム７が支軸７ａを介して回動自在に設けられ、サブシャシ４の一側部側には操作手段を構成する連結アーム８が支軸８ａを介して回動自在に設けられている。
【００２５】
連結アーム８の一端側にはボス８ｂが設けられ、ロックアーム７の一端側にはボス８ｂに係合するロックカム７ｂが形成されている。連結アーム８の回転に伴ってロックアーム７が回転されるようになっている。
【００２６】
連結アーム８の一端部には操作手段を構成する連結スライダ１２の一端部が接続ピン１２ａを介して接続され、連結スライダ１２のスライド操作により連結アーム８が支軸８ａを中心に回動するようになっている。
【００２７】
連結スライダ１２の上面部にはボス１２ｂ，１２ｂが突設されているとともに一端側には駆動ボス部１２ｃが突設されている。連結スライダ１２の上面部にはロック手段を構成する保持スライダ１３がスライド自在に設けられている。保持スライダ１３には連結スライダ１２のボス１２ｂ，１２ｂを係合させるカム溝１３ａ，１３ａが形成され、保持スライダ１３は前後方向にスライド移動されるようになっている。
【００２８】
また、上記したロックアーム７の他端側には図５にも示すように、円弧状をなすロックヘッド部７ｃが突出成形されているとともに、このロックアーム７の他端側はサブサシャシ４に取り付けられた圧縮バネ２２によりＰＵシャシ６方向に押圧されている。
【００２９】
ＰＵシャシ６の後端側中央部には図５にも示すようにＶ溝状をなすロック受部６ａが設けられ、このロック受部６ａにロックアーム７のロックヘッド部７ｃが係合されてＰＵシャシ６の後端側の平面方向及び上下方向の動きが規制されてホールドされるようになっている。
【００３０】
また、ＰＵシャシ６の前端側の両角部には図６にも示すように円弧状をなす保持ヘッド部６ｂ，６ｂが形成され、保持スライダ１３の両端部にはＶ溝部１３ｂ，１３ｂが形成されている。ＰＵシャシ６は保持ヘッド部６ｂ，６ｂがＶ溝１３ｂ，１３ｂに係合されることにより、その前端側の平面方向及び上下方向の動きが規制されてホールドされるようになっている。
【００３１】
一方、フレーム１の前端部側には支軸１４ｂを介して操作手段を構成する駆動レバー１４が回動自在に取り付けられている。この駆動レバー１４の一端側にはスプリング１７が接続され、反時計方向に回動するように付勢されている。駆動レバー１４の他端側には駆動ピン１４ａが突設され、中央部には垂直方向に沿う長孔１４ｃが形成されている。駆動レバー１４の長孔１４ｃには連結スライダ１２の駆動ボス部１２ｃが係合される。
【００３２】
また、駆動レバー１４の一端側近傍には切替手段としての検出レバー１５が設けられている。この検出レバー１５は支軸１５ａをしてフレーム１の前端側に回動自在に取り付けられ、係合用の凹溝１５ｂを有している。検出レバー１５はその下端側に接続されるスプリング１８により弾性的に付勢され、駆動レバー１４の一端側にその凹溝１５ｂを係脱させる。この係脱により駆動レバー１４の回動が規制され、或はこの規制が解除されるようになっている。
【００３３】
また、上記したカムスライダ１６には昇降溝１６ａの下部側に位置して上下部の駆動溝１６ｂ，１６ｃが形成されている。カムスライダ１６にはラック２３が設けられ、このラック２３には駆動ギア２４を介して正逆回転する駆動モータ２５が接続されている。
【００３４】
次に、上記したように構成される光ディスク記録再生装置内に裸の光ディスク２７が取込まれる場合について説明する。
【００３５】
図２乃至図４、さらに図１９は裸の光ディスク２７が取込まれる前の初期状態を示す。即ち、カムスライダ１６が左端に位置されてサブシャシ４が下方に傾動され、ＰＵシヤシ６がロックアーム７と保持スライダ１３によりロックされて動きが規制されている。また、図２２にも示すように検出レバー１５の凹溝１５ｂは駆動レバー１４から離間されて非係合状態となっている。
【００３６】
図７乃至図９は、さらに、図２０は光ディスク２７が装置内の所定位置に取り込まれてディスクモータ１０に光ディスク２７がクランプされた状態を示す。
【００３７】
即ち、このときには、駆動モータ２５の駆動により、カムスライダ１６が左端しから中央部にスライド移動される。これにより、サブシャシ４の駆動ボス部４ａ，４ａがカムスライダ１６の昇降溝１６ａ，１６ａに沿って上方へ移動し、サブシャシ４が上方へ傾動して光ディスク２７がディスクモータ１０にクランプされる。このクランプ時には、検出レバー１５の凹溝１５ｂは図２３に示すように駆動レバー１４から離間されて非係合状態となっている。
【００３８】
図１０乃至図１２は、光ディスク２７がディスクモータ１０にクランプされたのち、ＰＵシャシ６のロックが解除された状態を示す。
【００３９】
即ち、このときには、駆動モータ２５の駆動により、カムスライダ１６が中央部からさらに右端にスライド移動される。これにより、サブシャシ４の駆動ボス部４ａ，４ａがカムスライダ１６の昇降溝１６ａ，１６ａに沿って相対的に水平に移動し、駆動レバー１４の駆動ピン１４ａがカムスライダ１６の上部駆動溝１６ｃに沿って上昇する。このとき、検出レバー１５と駆動レバー１４とは非係合状態となっているため、駆動レバー１４は支軸１４ｂを中心として図２４にも示すように反時計方向に回動する。この回動により、連結スライダ１２が駆動ボス部１２ｃを介して図中左方向にスライド移動される。このスライド移動により、連結スライダ１２のボス１２ｂ，１２ｂが保持スライダ１３のカム溝１３ａ，１３ａに沿って移動する。この移動により、保持スライダ１３が前方に移動し、Ｖ溝１３ｂ，１３ｂをＰＵシャシ６の前端両角部のボス部６ｂ，６ｂから離間させて前部側のロックを解除する。
【００４０】
また、連結スライダ１２の図中左方向へのスライド移動により、連結アーム８が支軸８ａを中心にして矢印方向に回動し、その一端側のボス部８ｂがロックアーム７のカム部７ｂを押し込む。これにより、ロックアーム７がスプリング２２の付勢力に抗して支軸７ａを中心にして矢印方向に回動し、そのロックヘッド部７ｃをＰＵシャシ６のロック受け部６ａから離間させて後部側のロックを解除する。これにより、ＰＵシャシ６の３箇所のロック部の保持規制が全て解除され、ＰＵシャシ６はダンパー２６…のみによりサブシャッシ４上に支持された状態になる。
【００４１】
次に、光ディスク記録再生装置にカートリッジ１９が取込まれる場合について説明する。
【００４２】
図１３乃至図１５、さらに、図２１はカートリッジ１９が取込まれてその光ディスク２７がディスクモータ１０にクランプされた状態を示す。
【００４３】
即ち、カートリッジ１９が装置内に挿入されると、図２５にも示すように、検出レバー１５の上部側がカートリッジ１９により押圧されて回動し、検出レバー１５の凹溝１５ａに駆動レバー１４が係合し、その回動が規制される。
【００４４】
カートリッジ１９が所定位置に至ると、駆動モータ２５の駆動により、カムスライダ１６が左端から中央部にスライド移動される。これにより、サブシャシ４の駆動ボス部４ａ，４ａがカムスライダ１６の昇降溝１６ａ，１６ａに沿って上方へ相対的に移動し、サブシャシ４が上方へ傾動してカートリッジ１９内の光ディスク２７がディスクモータ１０にクランプされる。
【００４５】
図１６乃至図１８はカートリッジ１９内の光ディスク２７がディスクモータ１０にクランプされたのち、カムスライダ１６が、さらにスライドされて右端に移動された状態を示す。このカムスライダ１６の移動時には、駆動レバー１４のピン１４ａがカムスライダ１６の上部側の駆動溝１６ｃに向かおうとするが、検出レバー１５により駆動レバー１４の回動が規制されているため、下部側の駆動溝１６ｂ内に留まる。従って、保持スライダ１３及びロックアーム７が動作することはなく、ＰＵシャシ６のロック状態は保持されることになる。
【００４６】
これにより、ＰＵシャシ６、サブシャシ４、カムスライダ１６、駆動ギア２４及びこれらを搭載するフレーム１全体がメインダンパ３を介し外装シャシ２間で防振されることになる。
【００４７】
なお、カートリッジ１９の有無にかかわらず、トレイローディング、ディスククランプ、解除動作時においてはＰＵシャシ６はサブシャシ４上に保持された状態にある。
【００４８】
上記したように、比較的ディスク２７の回転数が低いカートリッジ１９の使用時は、メカ全体を防振し、高回転が要求される裸のディスク２７の使用時は、ＰＵシャシ６のロックを解除するため、ＰＵシャシ６のみをダンピングできる。従って、各部品間のびり音の発生を抑えることができ、裸ディスク２７の高速回転が可能となる。
【００４９】
図２６は本発明の他の実施の形態である光ディスク記録再生装置を示す斜視図である。
【００５０】
この図２６に示す装置は、カートリッジ非対応型の装置、即ち光ディスク専用の装置を示すもので、この装置は図１で示したカートリッジ対応型の装置からカートリッジ検出用の検出レバー１５と、メインフレーム１全体を防振する為のダンパ３を除いたものである。
【００５１】
動作としては図１で説明した裸のディスク２７の使用時のものと同様であり、トレイローディング、ディスククランプ、解除時はサブシャシ４に対してＰＵシャシ６がロックされているが、ディスク記録再生時はロック部材が退避し、ダンパー２６…により比較的フリーな状態にてサブシャシ４上に支持される。
【００５２】
この実施の形態においても、ディスクモータ１０にディスク２７をクランプする際には、ＰＵシャシ６をロックしてその動きを規制するため、ディスクモータ１０とディスク２７の芯合わせを確実に行うことができる。
【００５３】
従って、ダンパーの設計において、その硬度、弾性率、減衰率、或いは寸法精度等の制約を軽減でき、高い防振性能を得ることができるとともにコストも低減できる。
【００５４】
また、裸のディスク２７のクランプ、解除動作時のディスク変位に対する逃げの考慮が不要になるため、クリアランスを小さく設計でき、装置の薄型化が可能となる。
【００５５】
なお、上記したいずれの実施の形態においても、光ディスク装置の輸送時等に、ＰＵシャシ６をロックアーム７と保持スライダ１３とによりロックして動きを規制した状態にしておくことにより、ガタツキを防止し、クリープ等の発生等を防止することができる。
【００５６】
【発明の効果】
本発明は以上説明したように、駆動モータに媒体をクランプする際には、保持フレームをロックしてその動きを規制し、クランプ後にはロックを解除するため、駆動モータと媒体の芯合わせを確実に行うことができる。従って、ダンパーの設計において、その硬度、弾性率、減衰率、或いは寸法精度等の制約を軽減でき、高い防振性能を得ることができ、媒体の高速回転が可能になるとともに、コストを低減できる。
【００５７】
また、比較的媒体の回転数が低いカートリッジの使用時は、メカ全体を防振し、高回転が要求される裸の媒体の使用時は、保持フレームのロックを解除するから、保持フレームのみをダンピングでき、裸の媒体使用時にその回転速度が抑えられることがなく、高速での回転が可能となる。
【図面の簡単な説明】
【図１】本発明の一実施の形態である光ディスク記録再生装置を示す斜視図。
【図２】光ディスク記録再生装置を示す平面図。
【図３】光ディスク記録再生装置の駆動レバー及び検知レバーを示す正面図。
【図４】光ディスク記録再生装置のカムスライダを示す正面図。
【図５】ＰＵシャシとロックアームとの係合部を示す斜視図。
【図６】ＰＵシャシと保持スライダとの係合部を示す斜視図。
【図７】光ディスク記録再生装置内に光ディスクが取込まれてディスクモータにクランプされた状態を示す平面図。
【図８】光ディスクがディスクモータにクランプされたときの駆動レバー及び検知レバーの状態を示す正面図。
【図９】光ディスクがディスクモータにクランプされたときのカムスライダの位置を示す正面図。
【図１０】光ディスクがディスクモータにクランプされたのち、ＰＵシャシのロックが解除された状態を示す平面図。
【図１１】ＰＵシャシのロックが解除されたときの駆動レバー及び検出レバーの状態を示す正面図。
【図１２】ＰＵシャシのロックが解除されたときのカムスライダの位置を示す正面図。
【図１３】カートリッジが取込まれてその光ディスクがディスクモータにクランプされた状態を示す平面図。
【図１４】カートリッジの光ディスクがディスクモータにクランプされたときの駆動レバー及び検出レバーの状態を示す正面図。
【図１５】カートリッジの光ディスクがディスクモータにクランプされたときのカムスライダの位置を示す正面図。
【図１６】カートリッジの光ディスクがディスクモータにクランプされたのち、さらに、カムスライダがスライド操作された状態を示す平面図。
【図１７】カムスライダがさらにスライド操作されたときの駆動レバー及び検出レバーの状態を示す正面図。
【図１８】カムスライダがさらにスライド操作されたときの位置を示す正面図。
【図１９】サブシャシが下方に傾動された状態を示す側面図。
【図２０】
サブシャシが上方に傾動されて光ディスクがディスクモータにクランプされた状態を示す側面図。
【図２１】サブシャシが上方に傾動されてカートリッジの光ディスクがディスクモータにクランプされた状態を示す側面図。
【図２２】検知レバーと駆動レバーの非係合状態を示す図。
【図２３】光ディスクの取り込み時における検知レバーと駆動レバーの非係合状態を示す図。
【図２４】光ディスクの取込時における駆動レバーの動作状態を示す図。
【図２５】カートリッジの取込時における検知レバーと駆動レバーの係合状態を示す図。
【図２６】本発明の他の実施の形態である光ディスク専用の装置を示す斜視図。
【符号の説明】
１…メインフレーム、２…外装シャシ（ベース）、３…メインダンパ、４…サブシャシ、５…ヒンジバネ、６…ＰＵシャシ（保持フレーム）、７…ロックアーム（ロック手段）、８…連結アーム（操作手段）、９…光ピックアップ（情報処理手段）、１０…ディスクモータ（駆動モータ）、１１…フィードモータ、１２…連結スライダ（操作手段）、１３…保持スライダ（ロック手段）、１４…駆動レバー（操作手段）、１５…検出レバー（切替手段）、１６…カムスライダ（駆動手段）、１７…駆動レバのバネ、１８…検出レバーのバネ、１９…カートリッジ、２０…トレイ、２２…ヒンジバネ、２４…駆動ギア、２５…駆動モータ（駆動手段）、２６…サブダンパ、２７…光ディスク（媒体）、４ａ…クランプボス、７ａ…支軸、７ｂ…ロックカム、８ａ…支軸、８ｂ…ボス、１２ａ…接続ピン、１２ｂ…ボス、１２ｃ…駆動ボス部、１３ａ…スライドカム溝、１３ｂ…保持受部、１４ａ…駆動ピン、１４ｂ…支軸、１４ｃ…長孔、１５ａ…支軸、１５ｂ…凹溝、１６ａ…昇降溝、１６ｂ…下部駆動溝、１６ｃ…上部駆動溝。
【図１】
0003607628.tif 000002
【図２】
0003607628.tif 000003
【図３】
0003607628.tif 000004
【図４】
0003607628.tif 000005
【図５】
0003607628.tif 000006
【図６】
0003607628.tif 000007
【図７】
0003607628.tif 000008
【図８】
0003607628.tif 000009
【図９】
0003607628.tif 000010
【図１０】
0003607628.tif 000011
【図１１】
0003607628.tif 000012
【図１２】
0003607628.tif 000013
【図１３】
0003607628.tif 000014
【図１４】
0003607628.tif 000015
【図１５】
0003607628.tif 000016
【図１６】
0003607628.tif 000017
【図１７】
0003607628.tif 000018
【図１８】
0003607628.tif 000019
【図１９】
0003607628.tif 000020
【図２０】
0003607628.tif 000021
【図２１】
0003607628.tif 000022
【図２２】
0003607628.tif 000023
【図２３】
0003607628.tif 000024
【図２４】
0003607628.tif 000025
【図２５】
0003607628.tif 000026
【図２６】
0003607628.tif 000027